(57)【要約】【課題】より少ない部品数で、簡単に組み立てることができ、しかも、組立て後に、位置ずれやがたつき等が生じることのない組立式陳列装置を提供する。【解決手段】  左右１対の側面パネル１と、両側面パネル１間に取り付けられる、上下に分割された複数の背面パネル３とを有する組立式陳列装置において、両側面パネル１の互いに対向する内面に、上方に開口する係止孔１６を設けた左右１対の係止具１２を取り付け、下段の背面パネル３の上端両側部に設けた係止片２４と、上段の背面パネル３の下端両側部に設けた係止片２１とを重ねて、係止具１２の係止孔１６に嵌合して係止する。【選択図】図４
2008148761.tif 000002
【特許請求の範囲】
【請求項１】
左右１対の側面パネルと、上下に分割され、左右の側面パネル間に取り付けられるようになっている複数の背面パネルとを有する組立式陳列装置において、
前記左右の側面パネルの互いに対向する内面に、それぞれ、上方に開口する係止孔を設けた係止具を取り付け、下段の背面パネルの上端両側部に設けた係止片と、上段の背面パネルの下端両側部に設けた係止片とを重ねて、前記係止具の係止孔に嵌合して係止したことを特徴とする組立式陳列装置。
【請求項２】
係止具の前後に、複数段の背面パネルを前後対称に配設し、前方の下段の背面パネルの係止片と上段の背面パネルの係止片とを、互いに重ねて前記係止具の前縁に係止し、かつ後方の下段の背面パネルの係止片と上段の背面パネルの係止片とを、互いに重ねて前記係止具の後縁に係止した請求項１記載の組立式陳列装置。
【請求項３】
係止孔の前後幅を、前後の下段の背面パネルの係止片の厚さと、前後の上段の背面パネルの係止片の厚さとの和とほぼ等しいか、またはわずかに大とした請求項２記載の組立式陳列装置。
【請求項４】
係止具が、背面パネルの裏面に当接する当接面を有している請求項１〜３のいずれかに記載の組立式陳列装置。
【発明の詳細な説明】
【技術分野】
【０００１】
本発明は、左右１対の側面パネルと、両側面パネル間に取り付けられる、上下に分割された複数の背面パネルとを有する組立式陳列装置に関する。
【背景技術】
【０００２】
従来のこの種の組立式陳列装置には、各背面パネルの背面両側部に、上下１対ずつの下向きの係止片を設け、それらを、両側面パネルの互いに対向する内面に取り付けた上下２個ずつの係止具に係止させることにより、両側面パネル間に、互いに独立して架設するようにしたものがある（例えば特許文献１参照）。
【特許文献１】特許第２８５３０８２号明細書
【発明の開示】
【発明が解決しようとする課題】
【０００３】
しかし、上記特許文献１に記載されているものは、示されたものにおいて、各背面パネルを両側面パネル間に係止させるために４個以上の係止具を必要とするため、部品点数が多くなり、組み立てに手間を要するだけでなく、部品の管理も煩雑となる。
【０００４】
また、各背面パネルを、互いに独立して両側面パネル間に係止しているので、寸法誤差等により、上下の背面パネル間に隙間が生じたり、逆に干渉したり、または上下の背面パネルの前面が、前後に位置ずれして、段差が生じたりするおそれがあり、そのために、寸法精度を高めなければならない。
【０００５】
本発明は、従来の技術が有する上記のような問題点に鑑み、より少ない部品数で、簡単に組み立てることができ、しかも、組立て後に、位置ずれやがたつき等が生じることのない組立式陳列装置を提供することを目的としている。
【課題を解決するための手段】
【０００６】
本発明によると、上記課題は、次のようにして解決される。
（１）  左右１対の側面パネルと、上下に分割され、左右の側面パネル間に取り付けられるようになっている複数の背面パネルとを有する組立式陳列装置において、前記左右の側面パネルの互いに対向する内面に、それぞれ、上方に開口する係止孔を設けた係止具を取り付け、下段の背面パネルの上端両側部に設けた係止片と、上段の背面パネルの下端両側部に設けた係止片とを重ねて、前記係止具の係止孔に嵌合して係止する。
【０００７】
（２）  上記(１)項において、係止具の前後に、複数段の背面パネルを前後対称に配設し、前方の下段の背面パネルの係止片と上段の背面パネルの係止片とを、互いに重ねて前記係止具の前縁に係止し、かつ後方の下段の背面パネルの係止片と上段の背面パネルの係止片とを、互いに重ねて前記係止具の後縁に係止する。
【０００８】
（３）  上記(２)項において、係止孔の前後幅を、前後の下段の背面パネルの係止片の厚さと、前後の上段の背面パネルの係止片の厚さとの和とほぼ等しいか、またはわずかに大とする。
【０００９】
（４）  上記(１)〜(３)項のいずれかにおいて、係止具が、背面パネルの裏面に当接する当接面を有するものとする。
【発明の効果】
【００１０】
請求項１記載の発明によると、上下に隣接する背面パネルにおける下段のものの上端に設けた係止片と、上段のものの下端に設けた係止片とを重ねて、同一の係止具に係止させてあるので、係止具の数を従来のものよりほぼ半減することができるとともに、上下の背面パネルの前後位置が狂うおそれが少なく、しかも、下段の背面パネル上に、上段の背面パネルが載置されるので、上下の背面パネル間に隙間が生じることがない。
したがって、より少ない部品数で、簡単に組み立てることができ、しかも、組立て後に、位置ずれやがたつき等が生じることのない組立式陳列装置を提供することができる。
【００１１】
請求項２記載の発明によると、背面パネルを、前後に背中合わせとして装着する両面タイプの組立式陳列装置において、前面における上下に隣接する背面パネルの２個の係止片だけでなく、後面における上下に隣接する背面パネルの２個の係止片をも、同一の係止具に係止することができる、すなわち、１個の係止具に４個の係止片を係止させることができるので、係止具の数をさらに減少することができるとともに、組み立て作業を簡単にすることができ、しかも、前後の背面パネルの間隔を一定に保つことができる。
【００１２】
請求項３記載の発明によると、１個の係止具の係止孔の前後幅を、前後の下段の背面パネルの係止片の厚さと、前後の上段の背面パネルの係止片の厚さとの和とほぼ等しいか、またはわずかに大としてあるので、上下に隣接し、かつ前後に対応する４枚の背面パネルの前後の位置ずれやがたつきを確実に防止することができる。
【００１３】
請求項４記載の発明によると、係止具の当接面に、背面パネルの裏面が当接することにより、背面パネルの前後方向の位置決めを、確実に行うことができる。
【発明を実施するための最良の形態】
【００１４】
以下、本発明の一実施形態を、添付図面に基づいて説明する。
図１〜図７は、本発明を書店用の片面タイプの書架に適用した第１の実施形態を示す。
図１は、本発明の第１の実施形態である組立式陳列装置を、棚板を省略して示す正面図、図２は、その分解斜視図である。
【００１５】
図１および図２に示すように、この組立式陳列装置は、左右１対の側面パネル１、１と、両側面パネル１、１の下端後部間に架設された連結パネル２と、この連結パネル２上において、両側面パネル１、１の後部間に、上下多段状に架設された複数の背面パネル３、３とを備えている。
各パネル１〜３は、それぞれ金属薄板をプレス成形したものからなっている。
【００１６】
各側面パネル１の内面における後部には、上下方向を向く凹溝４が設けられており、同じくこの凹溝４を挟むようにして、下部には、前後１対かつ上下２段の縦長の係合孔５、５が、またそれより上方には、前後１対の係合孔５、５の間隔より小さい間隔とした前後１対かつ上下多段の縦長の係合孔６、６が、上下方向に所要の間隔をもって、それぞれ設けられている。
また、凹溝４より前方の背面パネル３の内面には、棚板(図示略)係止用の前後方向に長い多数の係止孔７が、前後２列として上下方向に並ぶように設けられている。
【００１７】
連結パネル２は、縦長の中空角管状をなし、その両端に設けた上下２段かつ左右１対の下向き鉤形の係止片８、８を、対向する各側面パネル１の係合孔５、５に係止させることにより、左右の側面パネル１、１の後下部間に架設されている。
【００１８】
連結パネル２上には、その上面に上向に突設された前後１対の突片９、９を跨ぐようにして、側面視下向きコ字状をなす背面パネル受材１０が載置されている。
背面パネル受材１０の上面の前後方向の中央には、左右方向を向く凹溝１１が設けられている。
【００１９】
図３〜図７に示すように、各側面パネル１の内面における前後の係合孔６、６には、平面視ほぼ外向きコ字状をなす係止具１２における前後１対の下向き鉤形の係止片１３、１３が係止されている。
この係止具１２は、垂直の基片１４の前後の縁より外側方に直角に折曲形成された側片１５、１５と、この両側片１５、１５の前端に連設された上記係止片１３、１３と、基片１４の上端より内方に向けて直角に折曲形成され、かつ中央に上方に開口する横長の係止孔が１６が設けられた水平の受片１７とを備えている。
各側片１５の上端には、上向突片１５ａが形成されている。
【００２０】
各背面パネル３は、すべて同一形状であって、その下端には、後方を向く折曲片１８と、その後端より垂下する垂下片１９と、垂下片１９の中央部より垂下する左右方向に長い下向き突片２０と、垂下片１９の両側部より垂下する左右１対の下向きの係止片２１、２１とが設けられている。
【００２１】
各背面パネル３の上端には、後方を向く折曲片２２と、その後端より垂下する垂下片２３と、垂下片２３の両側部より垂下する左右１対の下向きの係止片２４、２４とが設けられている。
【００２２】
さらに、各背面パネル３の両側端には、後方を向く折曲片２５が設けられている。
【００２３】
下段の背面パネル３は、その下端の突片２０および係止片２１、２１を、背面パネル受材１０の凹溝１１に嵌合し、かつ上端の左右の係止片２４、２４を、両側面パネル１、１の内面に係止した左右の係止具１２、１２の係止孔１６、１６に嵌合して係止することにより、両側面パネル１、１間に架設されている。
【００２４】
このとき、下段の背面パネル３の下端部は、下端の突片２０および係止片２１、２１が、背面パネル受材１０の凹溝１１に嵌合されることにより、前後方向の位置決めされ、また下段の背面パネル３の上端部は、折曲片２２の両端に設けた切欠き２２ａ内に、係止具１２の一部が嵌合して、各係止具１２の側片１５の前面が、当接面として、背面パネル３の背面に当接し、かつ各係止片２４が、係止孔１６の前縁に当接にすることにより、前後方向に位置決めされている。
【００２５】
上段の背面パネル３は、その下端の折曲片１８が、下段の背面パネル３の上端の折曲片２２上に載置され、かつ下端の垂下片１９，突片２０、および係止片２１、２１が、下段の背面パネル３の上端の垂下片２３および係止片２４、２４の後面に重なるようにして、左右の係止片２１、２１を、下段の係止片２４、２４とともに、左右の係止具１２、１２の係止孔１６、１６に嵌合して係止し、かつ上端の左右の係止片２４、２４を、両側面パネル１、１の内面に係止した上方の左右の係止具１２、１２の係止孔１６、１６に嵌合して係止することにより、両側面パネル１、１間に架設されている。
【００２６】
このとき、上段の背面パネル３の下端部は、折曲片２２の両端に設けた切欠き１８ａ内に、係止具１２の一部が嵌合して、各係止具１２の上向き突片１５ａの前面が、当接面として、背面パネル３の背面に当接し、かつ垂下片１９，突片２０、および係止片２１、２１が、下段の背面パネル３の上端の垂下片２３および係止片２４、２４の後面に当接することにより、前後方向に位置決めされている。
【００２７】
また、上段の背面パネル３の上端部は、下段の背面パネル３の上端部と同様に、折曲片２２の両端に設けた切欠き２２ａ内に、係止具１２の一部が嵌合して、各係止具１２の側片１５の前面が、当接面として、背面パネル３の背面に当接し、かつ各係止片２４が、係止孔１６の前縁に当接にすることにより、前後方向に位置決めされている。
【００２８】
３個以上の背面パネル３を上下多段に設ける場合は、下から三段目以上の背面パネル３を、左右の係止具１２、１２を順次継ぎ足して、第２段目のものと同様の要領で、順次下から両側面パネル１、１間に架設すればよい。
【００２９】
左右の側面パネル１、１の内面における所望の高さの係止孔７、７には、棚板ブラケット(図示略)が係止され、その上に、棚板(図示略)が載置される。
また、左右の側面パネル１、１の上端部同士を、必要に応じて、上記連結パネル２と同様の連結材(図示略)により連結したり、両側面パネル１、１の上端間に、天板(図示略)を架設して実施することもある。
【００３０】
第１の実施形態は、上記のように、両側面パネル１、１の互いに対向する内面に、上方に開口する係止孔１６を設けた左右１対の係止具１２、１２を取り付け、下段の背面パネル３の上端両側部に設けた係止片２４と、上段の背面パネル３の下端両側部に設けた係止片２１とを、重ねて係止具１２の係止孔１６に嵌合して係止してあるので、係止具１２の数を、従来のものよりほぼ半減することができるとともに、上下の背面パネル３、３の前後位置が狂うおそれが少なく、しかも、下段の背面パネル３上に、上段の背面パネル３が載置されるので、上下の背面パネル３、３間に隙間が生じることがない。
したがって、より少ない部品数で、簡単に組み立てることができ、しかも、組立て後に、位置ずれやがたつき等が生じることのない組立式陳列装置を提供することができる。
【００３１】
第１の実施形態は、前後方向に一枚のみの背面パネル３を設け、その前面のみに棚板を架設して商品を陳列する片面タイプのものとしてあるが、図８に示す第２の実施形態のように、左右の側面パネル１(その一方のみを図示する)間の前後方向の中央部に、前後１対の背面パネル３、３を架設し、その前後両面に棚板(図示略)を架設して、商品を陳列する両面タイプの組立式陳列装置に、本発明を適用する場合は、係止具１２の前後に、複数段の背面パネル３を前後対称に配設し、前方の下段の背面パネル３の係止片２４と上段の背面パネル３の係止片２１とを、互いに重ねて係止具１２における係止孔１６の前縁に係止し、かつ後方の下段の背面パネル３の係止片２４と上段の背面パネル３の係止片２１とを、互いに重ねて係止具１２における係止孔１６の後縁に係止する。
【００３２】
それによって、上下に隣接する前面側の背面パネル３、３の２個の係止片２１、２４だけでなく、後面における上下に隣接する背面パネルの２個の係止片２１、２４をも、同一の係止具１２に係止することができる、すなわち、１個の係止具１２に、４個の係止片２１、２１、２４、２４を係止させることができるので、係止具１２の数をさらに減少することができるとともに、組み立て作業を簡単にすることができ、しかも、前後の背面パネル３、３の間隔を一定に保つことができる。
【００３３】
この場合に、図８に示すように、係止孔１６の前後幅を、前後の下段の背面パネル３、３の係止片２４、２４の厚さと、前後の上段の背面パネル３、３の係止片２１、２１の厚さとの和とほぼ等しいか、またはわずかに大としておくと、上下に隣接し、かつ前後に対応する４枚の背面パネル３の前後の位置ずれやがたつきを確実に防止することができる。
その他の構成は、第１の実施形態と同一であるので、その説明は省略する。
【図面の簡単な説明】
【００３４】
【図１】本発明の第１の実施形態である組立式陳列装置を、棚板を省略して示す正面図である。
【図２】同じく、分解斜視図である。
【図３】同じく、要部を斜め後ろから見た拡大斜視図である。
【図４】図３と同一部分の分解斜視図である。
【図５】図３のV−V線に沿う縦断側面図である。
【図６】図３のVI−VI線に沿う縦断側面図である。
【図７】図３のVII−VII線に沿う横断平面図である。
【図８】本発明の第２の実施形態における、図５と同様の部分の縦断側面図である。
【符号の説明】
【００３５】
１  側面パネル
２  連結パネル
３  背面パネル
４  凹溝
５、６  係合孔
７  係止孔
８  係止片
９  突片
１０  背面パネル受材
１１  凹溝
１２  係止具
１３  係止片
１４  基片
１５  側片
１５ａ上向き突片
１６  係止孔
１７  受片
１８  折曲片
１８ａ切欠き
１９  垂下片
２０  突片
２１  係止片
２２  折曲片
２２ａ切欠き
２３  垂下片
２４  係止片
２５  折曲片
【図１】
2008148761.tif 000003
【図２】
2008148761.tif 000004
【図３】
2008148761.tif 000005
【図４】
2008148761.tif 000006
【図５】
2008148761.tif 000007
【図６】
2008148761.tif 000008
【図７】
2008148761.tif 000009
【図８】
2008148761.tif 000010